(57)【要約】【課題】被取付部材の取付面に平行してパイプ材の端部を強固に取り付けることを可能としたパイプ材の端部取付具を提供する。【解決手段】パイプ材１の端部に一体化され、該パイプ材１の端部から突出する取付軸部２ｂを持つジョイント部材２と、ジョイント部材２の取付軸部２ｂを嵌合する嵌合部３ａを持ち、この嵌合部３ａの側面に該嵌合部３ａの中心軸線と平行な取付面を有する取付フランジ部３ｂを備えた受け金具３とからなり、前記嵌合部３ａの一端に底壁５を設け、この底壁５に前記嵌合部３ａに嵌合されたジョイント部材２の取付軸部２ｂと螺合してジョイント部材２を受け金具３に連結固定する止め具６が設けられている。【選択図】図１
2009121621.tif 000002
【特許請求の範囲】
【請求項１】
パイプ材の端部に一体化され、該パイプ材の端部から突出する取付軸部を持つジョイント部材と、ジョイント部材の取付軸部を嵌合する嵌合部を持ち、この嵌合部の側面に該嵌合部の中心軸線と平行な取付面を有する取付フランジ部を備えた受け金具とからなり、前記嵌合部の一端に底壁を設け、この底壁に前記嵌合部に嵌合されたジョイント部材の取付軸部と螺合してジョイント部材を受け金具に連結固定する止め具が設けられていることを特徴とするパイプ材の端部取付具。
【請求項２】
前記受け金具の嵌合部は、中心軸線と平行な２平面とその間を繋ぐ円弧面とからなる周壁で囲まれて軸方向両端が開放した筒形状とされ、前記取付フランジ部は、前記嵌合部の２平面間の円弧面の一方に脚部を介して一体に成形されており、前記嵌合部の一端の底壁は、前記嵌合部の２平面に嵌合する四角形の底面部と、この底面部の周辺のうちの対向する２辺から底面部に対して直角に起立する起立片とを有して全体がコ字形に形成され、該起立片と嵌合部とが固定具で固定されていることを特徴とする請求項１に記載のパイプ材の端部取付具。
【請求項３】
前記ジョイント部材は、パイプ材の端部の差し込みが可能な連結軸部を一端に持ち、他端側に取付軸部を持つと共に、これら連結軸部と取付軸部との境界部に鍔部が設けられており、この鍔部の取付軸部側には、前記受け金具の嵌合部と取付軸部とを同軸状に芯合わせするためのセンター合わせ手段が設けられていることを特徴とする請求項１又は２に記載のパイプ材の端部取付具。
【発明の詳細な説明】
【技術分野】
【０００１】
本発明は、手摺り等のパイプ材の端部取付具に関するものである。
【背景技術】
【０００２】
従来、手摺り等のパイプ材の端部を脚板面や他のパイプ材等に取り付けるための取付具として、特許文献１や特許文献２がある。
特許文献１の取付具は、脚板面にパイプ材端部を直交して取り付けるためのもので、パイプ材の開口端部には、鍔状のベースと、このベースからパイプ材内に向けて延びる嵌入部と、この嵌入部からパイプ材内に向けてさらに延びる筒状部とを有する本体と、本体の筒状部に回転不能に嵌合され、本体の軸方向への移動により拡径されてパイプ材の内面に圧接する筒部を持つ移動駒とからなり、脚板の貫通孔及び本体を通して移動駒に螺合させたボルトにより、パイプ材内で移動駒を移動させて本体に対し移動駒の筒部を拡径させてパイプ材の内面に圧接させることにより、パイプ材を脚板に取付固定するようになしたものである。
【０００３】
特許文献２の取付具は、２本のパイプ材を直交状態で連結するためのもので、一方のパイプ材の端部内面にナットを固定し、他方のパイプ材の長手方向途中に貫通孔を設け、この貫通孔にボルトを挿通し、このボルトの先端を前記一方のパイプ材の端部内面のナットに螺合して緊締連結するようにし、その際、前記他方のパイプ材の内面に円柱形状のブッシュを挿入固定しておき、このブッシュによって他方のパイプ材に係る応力を分散し、該パイプ材の潰れを防止するようにしたものである。
【特許文献１】特開２００２−３１０１１１号公報
【特許文献２】特開２００３−９７００６号公報
【発明の開示】
【発明が解決しようとする課題】
【０００４】
特許文献１，２のものは、パイプ材を被取付部材の取付面に直交して取り付ける場合には好適であるが、被取付部材の取付面に平行してパイプ材の端部を取り付ける場合には適用できなかった。
本発明は、被取付部材の取付面に平行してパイプ材の端部を簡単に取り付けることを可能としたパイプ材の端部取付具を提供することを目的としている。
【課題を解決するための手段】
【０００５】
前記目的を達成するために本発明は、パイプ材の端部に一体化され、該パイプ材の端部から突出する取付軸部を持つジョイント部材と、ジョイント部材の取付軸部を嵌合する嵌合部を持ち、この嵌合部の側面に該嵌合部の中心軸線と平行な取付面を有する取付フランジ部を備えた受け金具とからなり、前記嵌合部の一端に底壁を設け、この底壁に前記嵌合部に嵌合されたジョイント部材の取付軸部と螺合してジョイント部材を受け金具に連結固定する止め具が設けられていることを特徴としている。
この構成によれば、予め、パイプ材の端部にジョイント部材を固着しておき、また、受け金具を取付フランジ部によって被取付部材に取付支持させておけば、受け金具に設けた止め具をジョイント部材の取付軸部に対して螺合したり、螺合を解除したりすることにより、パイプ材を被取付部材に対して取り付けたり、取り外したりすることができる。従って、被取付部材の取付面に平行してパイプ材の端部を簡単に取り付けることができ、取り外しも容易である。
【０００６】
前記受け金具の嵌合部は、中心軸線と平行な２平面とその間を繋ぐ円弧面とからなる周壁で囲まれて軸方向両端が開放した筒形状とされ、前記取付フランジ部は、前記嵌合部の２平面間の円弧面の一方に脚部を介して一体に成形されており、前記嵌合部の一端の底壁は、前記嵌合部の２平面に嵌合する四角形の底面部と、この底面部の周辺のうちの対向する２辺から底面部に対して直角に起立する起立片とを有して全体がコ字形に形成され、該起立片と嵌合部とが固定具で固定されているいることを特徴としている。
この構成によれば、受け金具及び底壁を押出成形材によって精度良く製作することができ、底壁の結合もリベットやボルト或いは溶接等によって簡単に固着することができる。
【０００７】
前記ジョイント部材は、パイプ材の端部の差し込みが可能な連結軸部を一端に持ち、他端側に取付軸部を持つと共に、これら連結軸部と取付軸部との境界部に鍔部が設けられており、この鍔部の取付軸部側には、前記受け金具の嵌合部と取付軸部とを同軸状に芯合わせするためのセンター合わせ手段が設けられていることを特徴としている。
この構成によれば、鍔部によって、ジョイント部材の取付軸部を受け金具の嵌合部に嵌合した際の位置決めを行わせることができるとともに、パイプ材をジョイント部材の連結軸部に差し込んだ際、パイプ材の端部を鍔部に当接させて差し込み位置を位置決め規制させることができ、さらに、センター合わせ手段によって、ジョイント部材の取付軸部と受け金具の嵌合部とを同軸状に取り付けてガタツキを防止することができる。
【発明の効果】
【０００８】
本発明によれば、被取付部材の取付面に平行してパイプ材の端部を簡単に取り付けることを可能としたパイプ材の端部取付具を提供することができる。
【発明を実施するための最良の形態】
【０００９】
以下、本発明の実施形態を図面に基づいて説明する。
本発明に係るパイプ材の端部取付具は、図１〜図８に示すように、パイプ材１の端部１ａの差し込みが可能な連結軸部２ａを一端側に持ち、他端側に取付軸部２ｂを持つジョイント部材２と、ジョイント部材２の取付軸部２ｂを嵌合する嵌合部３ａを持ち、この嵌合部３ａの側面に被取付部材４への取付フランジ部３ｂを持つ受け金具３とからなっている。
受け金具３の嵌合部３ａと取付フランジ部３ｂとは、図４、図５、図７に示すように、パイプ材１を被取付部材４の取付面４ａに平行状に取付可能な関係配置とされている。即ち、取付フランジ部３ｂは、嵌合部３ａの側面に嵌合部３ａの中心軸線と平行な取付面３ｂ’を備えている。
【００１０】
前記嵌合部３ａの一端には、底壁５を設け、この底壁５に前記嵌合部３ａに嵌合されたジョイント部材２の取付軸部２ｂと螺合してジョイント部材２を受け金具３に連結固定するボルト等の止め具６が設けられている。
前記受け金具３の嵌合部３ａは、図４、図５に示すように、中心軸線と平行な２平面３ａ１とその間を繋ぐ円弧面３ａ２とからなる周壁で囲まれて軸方向両端が開放した筒形状とされ、前記取付フランジ部３ｂは、前記嵌合部３ａの２平面３ａ１、３ａ１間の円弧面３ａ２の一方に脚部３ｃを介して一体に成形されている。
【００１１】
前記脚部３ｃは、嵌合部３ａの２平面３ａ１、３ａ１と平行に外側へ突出して形成されており、その端部に前記突出方向と直交して取付フランジ部３ｂが形成され、この取付フランジ部３ｂには、被取付部材４の取付面４ａへの取付用ボルト孔３ｄが適宜形成されている。
前記嵌合部３ａの一端の底壁５は、図１〜図４に示すように、前記嵌合部３ａの２平面３ａ１、３ａ１間に嵌合する四角形の底面部５ａと、この底面部５ａの周辺のうちの対向する２辺から底面部５ａに対して直角に起立する起立片５ｂ、５ｂとを有して全体がコ字形に形成され、該起立片５ｂ、５ｂと嵌合部３ａとがリベット、ボルト、その他の固定具７、７で固定されている（図はリベットで固定した場合を例示している。）。
【００１２】
底壁５の起立片５ｂ、５ｂが固着具７、７で結合されている嵌合部３ａの結合面は、中心軸線に平行な２平面３ａ１、３ａ１とされており、この２平面３ａ１、３ａ１は、脚部３ｃの突出方向と平行な面とされている。これによって、底壁５の起立片５ｂ、５ｂは、嵌合部３ａの一端に整合状態で嵌合されるとともに、脚部３ｃで阻害されることなく嵌合部３ａの対向する２平面３ａ１、３ａ１に固着具７、７を固着する作業を容易化している。
前記ジョイント部材２は、図１、図２に示すように、連結軸部２ａと取付軸部２ｂとを有し、これらの境界部に鍔部２ｃが設けられており、この鍔部２ｃの取付軸部２ｂ側には、前記受け金具３の嵌合部３ａと取付軸部２ｂとの軸線を芯合わせするためのセンター合わせ手段としてのテーパー部２ｄが設けられている。なお、センター合わせ手段は、テーパー部２ｄの代わりに、図６に示すように、位置決め突起２ｅと凹部２ｆとで構成してもよい。
【００１３】
前記ジョイント部材２は、図２に示しているように、連結軸部２ａと取付軸部２ｂとが共通の軸線上に形成されており、連結軸部２ａの側面には、ボルト挿通孔２ｇが軸線に直交して貫通形成されており、また、取付軸部２ｂの端面中央部には、止め具６の螺合孔２ｈが軸線に沿って形成されている。
前記ジョイント部材２は、適宜の金属製とされ、棒材の旋削加工や鍛造、鋳造の何れで製作されてもよく、例えば、アルミ合金のダイキャスト鋳造品であってもよい。また、受け金具３は、アルミ合金その他の金属材料の押出成形品とされるのが好ましい。この受け金具３の嵌合部３ａの形状中、底壁５の固着面を中心軸線に平行な２平面としてあることにより、底壁５の起立片５ｂ、５ｂも前記軸線に平行な平面とすることができ、その結果底壁５も前記と同様な押出成形品とすることができる。これらの押出成形品は、同一断面で長尺棒状に形成され、それを適宜の長さにカットして用いられる。
【００１４】
止め具６は、図１〜図３に示すように、ボルト軸部６ａの頭部に樹脂製のノブ６ｂが装着され、ボルト軸部６ａの先端に螺子部６ｃが形成されている。この螺子部６ｃはボルト軸部６ａより大径とされており、底壁５の底面部５ａの中央に形成された螺子孔５ｃから螺子部６ｃがねじ込まれることにより、ボルト軸部６ａが底壁５に抜け止め保持されている。
本発明の取付具は、以上の構成からなり、パイプ材１を被取付部材４に図７に示すように取り付けることができる。図７は、被取付部材４として、脚立に適用し、パイプ材１を逆Ｕ字形の手摺りに適用した場合を例示している。この場合、図８（Ａ）（Ｂ）に示すように、逆Ｕ字形の手摺りであるパイプ材１の両端に本発明の取付具を取り付ける。即ち、最初に、ジョイント部材２の連結軸部２ａにパイプ材１の両端を差し込み嵌合し、連結ボルト８で連結する。パイプ材１の両端には、連結ボルト８の挿通孔を設けておき、この挿通孔とジョイント部材２の連結軸部２ａに設けたボルト挿通孔２ｇとを合致させて連結ボルト８を挿通し、結合ナット９で連結固定する。次に、ジョイント部材２は、受け金具３の嵌合部３ａに取付軸部３ｂを嵌合し、止め具６の螺子部６ｂを取付軸部３ｂの螺合孔２ｈに螺合してノブ６ａを回すことにより、ジョイント部材２の取付軸部２ｂを受け金具３の底壁５に向けて引き付けてテーパー部２ｄを嵌合部３ａの開口端に当接し、センター合わせ状態でジョイント部材２を受け金具３に嵌合固着する。この状態で、図７に示すように、被取付部材４である脚立の側面に受け金具３の取付フランジ部３ｂをボルト付けする。これにより、手摺り１を脚立４の側面に直立状態で取り付けることができる。
【００１５】
以後、脚立４を収納、或いは、運搬する場合等においては、手摺り１を外して嵩低状態とするのが好ましく、その際、本発明の取付具は、止め具６を手で回して手摺り１を脚立４から外すことができ、スパナやドライバー等の工具を不要とできる。そして、手摺り１を脚立４に取り付けるときも、工具が要らず、止め具６を手で回して簡単に取り付けることができる。また、手摺り１を脚立４から取り外した際、止め具６は、受け金具３の底壁５に抜け止め保持されているため、紛失する恐れもない。さらに、受け金具３の取付面３ｂ’が脚立４の側面４ａであるため、脚立４の上面（踏み面＝作業面）を減らすことがなく広く使用することができ、作業に支障となることもない。
【００１６】
本発明の実施形態は以上であるが、本発明は、この実施形態に制約されず、パイプ材１を被取付部材４の面（例えば、壁面その他の取付面）に平行に取り付ける場合の取付具に広く適用することができる。
【図面の簡単な説明】
【００１７】
【図１】本発明の取付具の一部破断正面図である。
【図２】図１の取付具の分解正面図である。
【図３】底壁及びボルトを付けた状態の受け金具の正面図である。
【図４】図３の受け金具の端面図である。
【図５】受け金具単体の端面図である。
【図６】ジョイント部材と受け金具とのセンター合わせ手段の別例の正面図である。
【図７】脚立に手摺りを取り付ける場合に適用した概略斜視図である。
【図８】（Ａ）（Ｂ）は手摺りに本発明の取付具を装着した正面図と側面図である。
【符号の説明】
【００１８】
１    パイプ材（手摺り）
２    ジョイント部材
２ａ    連結軸部
２ｂ    取付軸部
２ｃ    鍔部
２ｄ    テーパー部（センター合わせ手段）
３    受け金具
３ａ    嵌合部
３ｂ    取付フランジ部
３ｃ    脚部
４    被取付部材（脚立）
５    底壁
６    止め具
７    固着具
８    連結ボルト
【図１】
2009121621.tif 000003
【図２】
2009121621.tif 000004
【図３】
2009121621.tif 000005
【図４】
2009121621.tif 000006
【図５】
2009121621.tif 000007
【図６】
2009121621.tif 000008
【図７】
2009121621.tif 000009
【図８】
2009121621.tif 000010